Podtech/llm-jp-corpus-v4-ja_patent huggingface dataset:
(57)【要約】【課題】既製のネイルチップでは個人個人のサイズが合わない為、調整に時間を要し、時間拘束、その場での粉塵発生、作製毎に以上の工程発生に対し、解決を行なう為にオリジナルネイルチップ作製型取り方法を提供する。【解決手段】指爪２と皮膚３の境目部分（キューティクルライン）４にアクリルパウダー５にアセトン、イソプロパノール等を主成分とした液体６を含ませゲル状にした物を筆７で塗り固め型取りをし、個人のオリジナルネイルチップ製作の型取りを行なうことにより、時間拘束、その場での粉塵発生を無くし、繰り返し製作を可能にした。【選択図】  図２
2005087682.tif 000002
【特許請求の範囲】
【請求項１】
指爪と皮膚の境目部分に型取り用溶液を筆で塗り固め型取りをし、個人のオリジナルネイルチップ作製の為の型取りを行なう。
【発明の詳細な説明】
【技術分野】本発明は、オリジナルネイルチップ作製にあたり、個人の爪と皮膚の境目線が既製のネイルチップでは合致しない為、型取り用溶液を筆で塗布し、固めることによってオリジナルネイルチップ作製の型取りを行ない、相手側拘束時間の短縮、繰り返し使用を可能にしたものである。
【背景技術】従来は、既製のネイルチップでサイズが近いものを個人の指爪に合わせ、合致しない部分を削りながら合わせ調整し、製作していた。又、同一者のネイルチップ作製に関しても以上の工程が発生していた。
又、石膏等での型取り方法では指以外の不要な広範囲な部分に多量な材料が必要になり、長時間拘束を伴い利便性に欠けた。
【発明の開示】
【発明が解決しようとする課題】個人によって指爪のサイズが異なり、従来の技術では作製に時間を要し、特に作製される相手側に長時間拘束を与え、又その場でチップを削る為、粉塵などの害も発生。そして毎回作製する度に以上の難点が発生することであった。よって本発明はこの課題を解消する為になされたものである。
【課題が解決しようとする為の手段】
指先の爪と皮膚の境目部分に型取り用溶液（アクリルパウダーにアセトン、イソプロパノール等を主成分とした液体を含ませゲル状にした物）を筆で塗り固め、型取りをし、個人のオリジナルネイルチップ作製の型取りを行なう。
【発明の効果】
個人の指爪と皮膚の境目部分を型取りをすることによって、相手側に最少限の時間拘束で済むようにし、粉塵の害もその場で発生することは無くした。そして型取りをしたことによって時間や場所に囚われず何度でもオリジナルネイルチップ作製を行なうことを可能にした。
【発明の実施する為の最良の形態】
以下、本発明の実施する為の最良の形態を説明する。
（イ）．筆７にアセトン、イソプロパノール等を主成分とした液体６を浸しその筆先にアクリルパウダー５をつけるとゲル状にまとまった状態になる。
（ロ）．指爪２と皮膚３との境目線（キューティクルライン）４部分に（イ）をなるたけ均一に伸ばす。しばらくすると固くなり剥がすと境目線（キューティクルライン）４の型がとれる。
【図面の簡単な説明】
【図１】  本発明の正面図である。
【図２】  本発明の使用状態を表わす正面図である。
【符号の説明】
１  指
２  指爪
３  皮膚
４  境目線（キューティクルライン）
５  アクリルパウダー
６  アセトン、イソプロパノール等を主成分とした液体
７  筆
【図１】
2005087682.tif 000003
【図２】
2005087682.tif 000004
(57)【要約】【課題】  室内から窓の外ガラスを拭くことができ、簡単でしかも安全な窓拭き具を提供する。【解決手段】  アームの近位に握り部、遠位内側に払拭面を設けた事を特徴とする。【選択図】  図１
2005087688.tif 000002
【特許請求の範囲】
【請求項１】
彎曲したアーム（１）の近位に握り部（２）を設け、遠位内側に払拭面（３）を設け、主に室内から窓の外ガラスを拭くための窓拭き具。
【発明の詳細な説明】
【技術分野】
【０００１】  本発明は、彎曲したアームの近位に握りを設け、遠位内側に払拭面を設けたもので、主に室内から窓の外ガラスを拭くための、窓拭き具である。
【背景技術】
【０００２】  従来、窓の外ガラスを拭く場合、高い窓、特に階上の高窓などは手が届かなかったり、窓枠に乗ると危険であったり大変やりにくかった。
【発明の開示】
【発明が解決しようとする課題】
【０００３】そのため次のような問題点があった。
（イ）手が届きにくい。
（ロ）踏み台などで足場を高くすると、窓から半身を乗り出す形になり、不安定である
（ハ）窓枠に乗って行うには落下などの危険がある。
（ニ）高齢者や弱者には大変な仕事である。
本発明はこれらの欠点を除くためになされたものである。
【課題を解決するための手段】
【０００４】  彎曲したアーム（１）の近位に握り部（２）を設け、遠位内側に払拭面（３）を設ける。
本発明は、以上のような構成で、室内から窓の外ガラスを拭くための、窓拭き具である。
【発明の効果】
【０００５】（イ）危ないところや手の届かない窓を、いちいち踏み台を使ったり、窓枠に乗ったり、外に出たりしなくても、室内から窓の外側のガラスを容易に拭くことができる。
（ロ）危険が全くない。
以上の通り、極めて安全で、老若男女誰でも容易に窓拭きができる。
【発明を実施するための最良の形態】
【０００６】  以下、本発明の実施形態をする。
（イ）２本の金属材を平行して設けたアーム（１）を略コの字型に彎曲させる。
（ロ）アーム（１）の後端に棒材を直立させた握り部（２）を設ける。
（ハ）アーム（１）の先端の内側に、水平の横長状の発砲ウレタン材またはゴム材からなる払拭面（３）設ける。
本発明は以上の構成よりなり、これを使用するときは、室内に居て、握り部を持って払拭部を窓の外ガラスに当てる。これをガラス面に沿って動かすことにより容易に汚れを払拭することができる。この場合（１）空拭きもできるが、（２）水を含ませる事により、よりきれいに払拭できる。（３）窓の幅に合わせて払拭面をスライドして使用することができる。
【実施例】
【０００７】  水切りの目的でワイパーを払拭面の反対側に取り付け、払拭面とワイパーを必要に応じて反転させて使用する。又は、払拭面とワイパーをアダプターとして必要に応じて取り付け、取り外し可能にしても良い。
【図面の簡単な説明】
【０００８】
【図１】  本発明の斜視図である
【図２】  本発明の平面図である
【図３】  本発明の正面図である
【図４】  本発明のスライドした正面図である
【図５】  本発明の使用状態を示す斜視図である。
【符号の説明】
【０００９】  １  アーム
２  握り部
３  払拭面
４  手
５  窓ガラス
６  窓枠
【図１】
2005087688.tif 000003
【図２】
2005087688.tif 000004
【図３】
2005087688.tif 000005
【図４】
2005087688.tif 000006
【図５】
2005087688.tif 000007
(57)【要約】【課題】    小鼻等細部の汚れ落し用の細部汚れ落し専用洗浄部を備え、また、顔全体を洗浄する際にも適することが可能な洗顔用クロスを提供することである。【解決手段】略方形でクロス外周の角に位置する少なくとも一箇所に細部汚れ落し専用洗浄部を具備している。【選択図】  図１
2005087681.tif 000002
【特許請求の範囲】
【請求項１】
洗顔時に汚れ落しの為に使用するクロスであって、
当該クロスは、略方形でクロス外周の角に位置する少なくとも一箇所に細部汚れ落し専用洗浄部を具備したことを特徴とする洗顔用クロス。
【請求項２】
上記細部汚れ落し専用洗浄部は、クロスと同素材の生地からなることを特徴とする請求項１記載の洗顔用クロス。
【請求項３】
上記汚れ落し専用洗浄部は、０．０１〜０．５デニールの太さの繊維を使用したことを特徴とする請求項１乃至２記載の洗顔用クロス。
【発明の詳細な説明】
【技術分野】
【０００１】本発明は、洗顔時に使用する洗顔用クロスに関するものである。
【技術背景】
【０００２】  従来、洗顔する際に石鹸類を掌に直接塗り付けて両掌で擦って泡立て洗顔し、汚れを泡に吸着させた後、水洗いして泡を流していた。前記洗顔方法では、石鹸の泡立ちが不充分で洗浄作用が劣る場合が考えられる。そこで、石鹸類を付着して擦るだけで簡単に泡立てることができる泡立て用ネットが登場している。例えば、特開平１０−２７６９２８「洗顔用泡立てネット」、特開平１１−０１８９８５「泡立てネット、爪掃除羽毛付ソープネット」が開示されている。
【０００３】  しかし、前記公報に開示されている発明は、何れも網状ネットで構成されていて、洗顔前に石鹸等を泡立てることを主目的としており、何れも本願発明とは構成が異なる。
【０００４】  また、洗顔時に使用する洗顔用クロスとして市販されているものはあるが、いずれも、小鼻等の細部の汚れ落し用も兼ねた洗顔用クロスではない。
【発明の開示】
【発明が解決しようとする課題】
【０００５】  本発明は、洗顔時に使用する洗顔用クロスであって、小鼻等細部の汚れ落し用の細部汚れ落し専用洗浄部を備え、また、顔全体を洗浄する際にも適することが可能な洗顔用クロスを提供することである。
【課題を解決するための手段】
【０００６】  前記目的を解決する為、本発明の洗顔用クロスは、略方形でクロス外周の角に位置する少なくとも一箇所に細部汚れ落し専用洗浄部を具備している。【０００７】  また、細部汚れ落し専用洗浄部は、クロスと同素材の生地からなることが望ましい。【０００８】  また、汚れ落し専用洗浄部は、０．０１〜０．５デニールの太さの繊維を使用することが望ましい。【０００９】  請求項１乃至請求項２の発明は、略方形のクロス外周の角に位置する少なくとも一箇所に細部汚れ落し専用洗浄部を備える。この細部汚れ落し専用洗浄部は、前記クロス生地と同一素材で、クロス外周の角部分に縫製され構成される。【００１０】  細部汚れ落し専用洗浄部の生地とクロス生地部分とを縫製しポケット状にした部分に人差し指、中指の第二関節までを差し込めるようにする。【００１１】  通常、小鼻等の細部を洗浄する際は、石鹸類を掌で擦り合わせ、その泡を保持した人差し指或いは中指で直接を洗浄箇所に押し当て摩擦し汚れを浮き上がらせて洗浄するか、もしくは、石鹸類を擦り合わせ泡立たせたクロスを小鼻部分に押しあて摩擦し洗浄する。この場合、クロスに人差し指、中指を差し込めるように細部汚れ落し専用洗浄部を設けることにより、洗浄時のクロス生地と洗浄時の摩擦力等をコントロールする指先が密に接し、ずれにくい為、より適確に細部を洗浄出来る。【００１２】細部汚れ落し専用洗浄部は略方形のクロス外周部分の角に設けられる為、細部の汚れ落し以外の広い洗浄面にも対応出来る。【００１３】請求項３の発明で、クロス生地は０．０１〜０．５デニールの極細繊維からなり、クロス全体の表面積が大きく、洗浄面に入り込むことにより、洗浄力が増大する。
【発明の効果】
【００１４】本発明は、小鼻等細部の汚れ落し用の細部汚れ落し専用洗浄部を備え、また、顔全体を洗浄する際にも適し汚れ落ちに優れたクロスである。
【発明を実施する為の最良の形態】
【００１５】本発明の実施の形態について、図を用いて説明するが、以下の実施形態に限定されることはない。
【００１６】クロス生地１は、０．０１〜０．５デニールの極細繊維からなり、例えば、ポリエステル、ポリアミド、ポリブチレンテレフタレート（ＰＢＴ）、ポリプロピレン、ポリエチレン、アクリロニトリル等のフィラメント糸を使用することが可能である。
【００１７】細部汚れ落し専用洗浄部２は、クロス生地１の外周の角に備えられる。
【００１８】クロス生地外周部と細部汚れ落し専用洗浄部の縫製箇所は、同時にロックミシンまたはメローミシンによって縁かがりまたはバイアステープによってホツレ防止処理３を施す。
【図面の簡単な説明】
【００１９】
【図１】本実施形態にかかる洗顔用クロスの平面図である。
【図２】本実施形態にかかる洗顔クロスの使用状態を示す斜視図である。
【符号の説明】
【００２０】１  クロス生地
２  細部汚れ落し専用洗浄部
３  ホツレ防止処理
【図１】
2005087681.tif 000003
【図２】
2005087681.tif 000004
(57)【要約】【課題】一方を高くし、その反対側を低くして傾斜をつけたクッションを提供する。【解決手段】椅子の背側クッションの高い方を位置にして置いて腰かけると、足側が低くなるので上半身がやや前に傾く。そのため背筋が伸びる。クッションに傾斜をつけたことを特徴とするものである。【選択図】図１
2005087684.tif 000002
【特許請求の範囲】
【請求項１】
クッションの一方を高くし、もう一方は低くして傾斜をつけ、側面から見ると三角の形をしている。高い方を背側にして椅子の上に置き、腰かけることで背筋が伸びて姿勢が良くなる。
【発明の詳細な説明】
【技術分野】
【０００１】  本発明はクッションが平らなものではなく、傾斜をつけ、ただ腰かけることで背筋が伸びて姿勢を良くするためのものである。
【背景技術】
【０００２】  従来、タスキのように背中にかけて姿勢をよくするものがあった。
【発明の開示】
【発明が解決しようとする課題】
【０００３】  そのために、次のような問題点があった。
（イ）タスキ状のものが胸から背中にかけてわたすためのきつくて不快なものである。
（ロ）夏は暑くて付けることが出来ない。
本発明は、これらの問題点を解決するためになされたものである。
【課題を解決するための手段】
【０００４】  クッションの一方を高くし、その反対側を低くして傾斜をつけ、側面から見ると三角の形をしている。高い方を背側にして椅子の上に置き腰かけることで自然と背筋が伸びるのである。
【発明の効果】
【０００５】  ただ椅子に腰かけることで自然と背筋が伸び、継続することで正しい姿勢の体型が徐々に維持できるようになる。
【発明を実施するための最良の形態】
【０００６】  以下、本発明の実施の形態について説明する。
（イ）クッションの一方は高く、その反対側は低くしてあり、側面から見ると三角の形状となっている。
（ロ）クッションの表側にはソフトなウレタン（１）を用い、裏側には反発力のある硬質ウレタン（２）のような素材を用いる。
本発明は以上のような構成でこれを使用するときは高い方を椅子の背側に置き低い方は  足側にとなる。腰かけると上半身がやや前に傾く状態となり、そのため自然と背筋が伸  びて良い姿勢となる。また傾斜をもたせた硬貢のウレタンの反発力の作用により、下か  ら押されている感じが背筋に伝わり、軽い指圧のようで心地がよい。なお椅子は硬い方  が効果が出る。
【実施例１】
【０００７】  背もたれ用としても使用出来、この場合は厚みのある方を上にして上部が背中に当たるようにする。硬質ウレタンの反発力が背中に伝わり心地よい。
【実施例２】
【０００８】  背もたれ用とした場合、背中に当たる部分に磁石を内蔵させてもよい。
【図面の簡単な説明】
【０００９】
【図１】本発明の斜視図
【図２】本発明の一部を切り欠いた側面図
【図３】本発明の実施例を示す斜視図
【符号の説明】
【００１０】    １ソフトなウレタン
２硬質ウレタン
３磁石
【図１】
2005087684.tif 000003
【図２】
2005087684.tif 000004
【図３】
2005087684.tif 000005
(57)【要約】      （修正有）【課題】ペットの抜け毛を吸引処理の出来る一般電気掃除機用アタッチメントを提供する。 【解決手段】（１）一般電気掃除機に装着できるよう構成されている。（２）パイプ状本体は、柔軟性のあるゴム質性でできている。（３）手に安定させるため本体背にへこみがある。（４）本体吸引孔周縁に、先端に丸みのある硬い丸棒状直径１ｍｍ〜３ｍｍの太さのものをジグザグに固定させている。（５）ブラシ棒は先端のほうは短く、中央部に向かって徐々に長く、手前はカーブを描くように短く固定させている。 【選択図】図３
2005087689.tif 000002
【特許請求の範囲】
【請求項１】
掃除機の吸引孔に取り付けるゴムや樹脂のような軟質材で出来たパイプ状で先端部は丸みがあり中央部に向かって、パイプ巾の０．５〜３倍位と幅広く、手前は、パイプ状の太さで、背には緩やかなへこみ▲４▼がある。吸引孔周縁に、先端に丸みのある金属や樹脂の、硬い丸棒状▲６▼１ｃｍ〜２ｃｍの長さ、直径１ｍｍ〜３ｍｍの太さのものと硬い丸棒状▲７▼２ｃｍ〜６ｃｍの長さ、直径１ｍｍ〜３ｍｍの太さのものをブラシ先端▲６▼から３／４辺りに向かって徐々に高く硬い丸棒状▲８▼１ｃｍ〜３ｃｍの長さ、直径１ｍｍ〜３ｍｍの太さのものを手前に向かって低く、棒状は２〜３列のジグザグ固定１ｍｍ〜４ｍｍ巾であることを特徴とする、掃除機取り付けペット毛取りブラシ。
【発明の詳細な説明】
【技術分野】
【０００１】この発明は一般電気掃除機吸引孔に設け体毛動物へのブラッシングしながらホコリや抜け毛、シャンプー後の乾燥が簡単に出来るよう設計された用具に関するものである。
【背景技術】
【０００２】ペットは、従来硬毛ブラシや、合成樹脂ブラシで、ブラッシングしながら、そのブラシに抜け毛を絡ませ、その絡ませた抜け毛を手で取り除き綿毛とホコリの飛び散る、という不衛生の中で脱毛処理を、行っていた。吸引掃除機用、犬・猫毛取りブラシ、（例えば、特許文献１参照）においても、ブラシに可変の必要なブレーキという手間がかかる。
ブラシ器具（例えば、特許文献２参照）においては、ブラシの植毛根周縁に溝を形成し、ブラシ本体の下部にピンブラシ植毛根を形成する。という複雑な構成であるため、器具の汚れを取り除く事の難しさを感じる。
｛特許文献１｝特開平８−１１６
｛特許文献２｝特開平１０−９４４３０
【発明の開示】
【発明が解決しようとする課題】
【０００３】従来のペットブラシには次のような欠点があった。
▲１▼  ブラシの植毛根に抜け毛が絡みつき絡みついた抜け毛の取り除きに散毛するなどの、毛取り処理に乏しかった。
▲２▼  対象動物の毛の長さに、対応調整が出来なかった。
▲３▼  掃除機取り付けブラシにおいても、皮膚に密着しない為のブレーキを、つけるなどの操作が複雑であった。
【課題を解決するための手段】
【０００４】掃除機吸引孔に本発明器具ブラシを設ける。
▲１▼  曲線の多いペットに、大きな衝撃を与えないため、先端に丸み▲５▼と、器具の背に緩やかなへこみ▲４▼をつけ、手に安定させ、先端▲５▼▲６▼により、首や足のつけ根のくびれた所の、抜け毛やホコリを、かき出し吸引させる。
▲２▼  ブラシ先端より▲６▼▲７▼▲８▼と、絡みついた抜け毛によって空気孔をふさがないようにする。
▲３▼  周縁にブラシ棒をジグザグに固定させる事により抜け毛を絡みやすくさせる。
▲４▼  ブラシ棒は、丸棒状の為絡みついた抜け毛は掃除機吸引力によって離れる。
▲５▼  ブラシは硬い丸棒状の為洗っても乾きが早くいつも清潔に保たせる。
【発明を実施するための最良の形態】
【０００５】
【実施例】体毛ペットは、年二回脱毛する。特に屋内で飼育する場合は年中脱毛する。本発明体毛ペットブラシは一般電気掃除機吸引孔に取り付けペットにブラッシングすることにより抜け毛やホコリなどの処理が簡単に出来るよう設計されている。本発明器具▲３▼を一般電気掃除機吸引孔▲２▼に設ける。動物の体型は曲線なので、大きな衝撃を与えないため、柔軟性のあるゴ厶質性▲３▼であり本体背のへこみ▲４▼を手に安定させブラッシングをする。先端▲５▼は首や足のつけ根等のくびれた所も無理なく滑らかに入り先端▲６▼の短くジグザグ▲１０▼に固定したブラシによって抜け毛やホコリを飛散することなくかき出し、本体手前▲８▼のブラシ棒により空気の流れを一定に保つことが出来、皮膚への密着もない。ブラシ棒中央部の長さ▲７▼と、巾▲１１▼により毛足の長いペットもブラシ棒▲１０▼をジグザグに固定させる事により、抜け毛はブラシに絡まりやすく、またブラシ棒は丸いため絡まりついた抜け毛は、一般電気掃除機の吸引力により速やかにブラシ棒より離れ集塵されていく。手に安定▲４▼させたブラシに加える力の強弱によりブラッシングと軽いマッサージ効果を得られ毛に対し常に一定の摩擦力を与え抜け毛を促進させ散毛することなく速やかに掃除機に集塵されていく。ブラシの汚れも棒状ブラシのため洗っても乾きが早くいつも衛生的に保つことが出来る。
【発明の効果】
【０００６】本発明の目的は、体毛ペットの抜け毛や、ホコリを、簡単に処理ができる事である。
▲１▼  ブラシ棒の固定配列により、抜け毛を飛散することなくブラシ棒に絡めとリ、さらに▲７▼▲８▼により毛足の長いペットにも、対応し、皮膚への密着もなく簡単に処理できる。
▲２▼  ブラシ▲５▼▲６▼により、首や足のつけ根のくびれた所のかきだしも、▲８▼によりシャンプー後の抜け毛や、湿気も、簡単に除去できる。
▲３▼  動物愛好家がいつでも自身で抜け毛処理が簡単に出来るため、ペットの健康維持だけでなく社会的にも有益である。
【図面の簡単な説明】
【０００７】
【図１】本発明ブラシの全体立面図
【図２】本発明ブラシの内側から見た図
【図３】本発明ブラシ斜視図
【符号の説明】
【０００８】▲１▼  空気孔
▲２▼  掃除機差込部
▲３▼  柔軟質性ゴム質や合成樹脂性本体
▲４▼  緩やかな背のへこみ横巾３ｃｍ〜４ｃｍ縦巾２ｃｍ〜３ｃｍへこみ１ｍｍ〜５ｍｍ
▲５▼  先端の丸み部
▲６▼  硬い丸棒状１ｃｍ〜２ｃｍの長さ、直径１ｍｍ〜３ｍｍの太さ
▲７▼  硬い丸棒状２ｃｍ〜６ｃｍの長さ、直径１ｍｍ〜３ｍｍの太さ
▲８▼  硬い丸棒状１ｃｍ〜３ｃｍの長さ、直径１ｍｍ〜３ｍｍの太さ
▲９▼  ブラシ部１０ｃｍ〜２５ｃｍの長さ
▲１０▼  ジグザグ固定１ｍｍ〜４ｍｍ巾
▲１１▼  パイプブラシ中央部はパイプ巾０．５倍〜３倍
【図１】
2005087689.tif 000003
【図２】
2005087689.tif 000004
【図３】
2005087689.tif 000005
(57)【要約】【課題】  看護用の患者に酸素吸入、栄養液をチューブで鼻孔に差し込み吸入ができ、先端のふくらみで鼻孔に挟み固定できる、鼻孔チューブ固定具を提供します。【解決手段】  対向する挟持片の中央に支持体を橋渡しに設けた支持体にチューブを通す穴を設け、挟持片の先端内側にふくらみを設け、挟持片の後端を押圧すると支持体の両側の支軸バネで挟持片の先端が開き、バネを利用して鼻孔に挟み固定、チューブを鼻に差し込み、酸素吸入、栄養液が吸入できるのが特徴とする鼻孔チューブ固定具。【選択図】図１
2005087683.tif 000002
【特許請求の範囲】
【請求項１】
対向する挟持片の中央に支持体を橋渡しに設けた支持体にチューブを通す穴を設け、挟持片の先端内側にふくらみを設け、挟持片の後端を押圧すると支持体の両側の支軸バネで挟持片の先端が開き、バネを利用して鼻孔に挟み固定、チューブを鼻に差し込み、酸素吸入、栄養液が吸入できるのが特徴とする鼻孔チューブ固定具。
【発明の詳細な説明】
【技術分野】
【０００１】  本発明は、看護用の患者に酸素吸入、栄養液をチューブで鼻孔に差し込み吸入ができ、先端のふくらみで鼻孔に挟み固定できる、鼻孔チューブ固定具に関するものである。
【背景技術】
【０００２】  従来、患者に鼻からチューブを挿入して酸素吸入、栄養液を吸入するとき、粘着テープで鼻の上に貼り付けて止め、耳にかけていた。
【発明の開示】
【発明が解決しようとする課題】
【０００３】  そのために、つぎのような問題点があった。
酸素吸入をするとき、鼻の上に粘着テープを貼っていたが剥がれ、耳に掛けて吸入するが、頭を動かしたり、睡眠中に寝返りをしたとき鼻孔に吸入していたチューブが外れる。
本発明は以上の問題点を解決しようとするものである。
【課題を解決するための手段】
【０００４】  対向する挟持片の中央に支持体を橋渡しに設けた支持体にチューブを通す穴を設け、挟持片の先端内側にふくらみを設け、挟持片の後端を押圧すると支持体の両側の支軸バネで挟持片の先端が開き、バネを利用して鼻孔に挟み固定、チューブを鼻に差し込み、酸素吸入、栄養液が吸入できる鼻孔チューブ固定具。
以上を特徴とする鼻孔チューブ固定具である。
【発明の効果】
【０００５】  本発明は、酸素吸入、栄養液を吸入するとき、挟持片の中央の支持体の穴にチューブを通し、後端を押圧することで挟持片の先端が開き鼻孔に挟み、先端のふくらみが滑り止めになり、挟持片の中央の支持体の穴から通したチューブを鼻孔に差し込み吸入することができる。
【発明を実施するための最良の形態】
【０００６】  以下、本発明の実施の形態を説明する。
（イ）対向する挟持片（１）、（１）の中央内側に支持体（５）の両側に有する支軸（６）を挟持片の内側に固着し、支持体（５）を橋渡しに設けた。
（ロ）支持体（５）の中央にチューブ（８）を通す穴（４）を設ける。
（ハ）挟持片（１）、（１）および支持体（５）の両側支軸（６）は可撓性の軟質性樹脂よりなり、挟持片（１）の後端（７）、（７）を両側から押圧することにより先端（２）、（２）は開閉自在とする。
（二）挟持片（１）の先端（２）、（２）の内側にふくらみ（３）、（３）を設ける。
本発明は、以上の構成よりなっている。
本発明を使用するときは、上記の挟持片を鼻の穴に固定して、酸素吸入、栄養液を吸入することができる。
支持体（５）の穴（４）からチューブ（８）を通し、支持体（５）の支軸（６）の両側がバネになり、挟持片の先端（２）を鼻孔に挟み、チューブ（８）を鼻孔に差し込み、ふくらみ（３）が滑り止めになって外れる心配がない。
【図面の簡単な説明】
【０００７】
【図１】本発明の斜視図
【図２】本発明の分解斜視図
【図３】本発明の使用状態を示す斜視図
【符号の説明】
【０００８】    １  挟持片
２  先端
３  ふくらみ
４  穴
５  支持体
６  支軸
７  後端
８  チューブ
【図１】
2005087683.tif 000003
【図２】
2005087683.tif 000004
【図３】
2005087683.tif 000005
(57)【要約】［課題］  就寝時、おしりから腰にかけてのくびれを支えられ、自然に近い楽な姿勢をサポートする腰用まくらを提供する。［解決手段］  腰の下に置いて使用し、さらに、余裕をもって左右に寝返りがうてる長さにした。【選択図】  図１
2005087687.tif 000002
【特許請求の範囲】
【請求項１】
就寝時、腰からおしりにかけてのくびれを支えるための腰用まくら。
【発明の詳細な説明】
【発明の詳細な説明】
［発明の属する技術分野］
【０００１】本発明は、就寝時、おしりと腰の高さの差を楽な状態に支えるために、腰の下に置いて使用できるようにしたものである。
［従来の技術］
【０００２】従来は、一定の姿勢でいるぶんには、使用できる腰用まくらはあったが左右に寝返りを打てるだけの横幅がある腰をサポートする手軽な寝具はなかった。
［発明が解決しようとする課題］
【０００３】一般的な寝具では、あおむけでも、横向きでも、おしりと腰の高さの差で自然な姿勢を維持できず、腰に負担がかかっていた。
本発明は、この課題を解消するためになされたものである。
［課題を解決するための手段］
【０００４】就寝時、腰のくびれの下に添えて使用することにより、腰からおしりにかけてのくびれを自然に近い楽な体勢に支えられるようにした。さらに、横幅は左右に寝返りをうてるように余裕をもたせた。
［発明の実施の形態］
【０００５】以下、本発明の実施の形態について説明する。
（イ）．図１、左右に寝返りをうっても余裕のある長さにした。
［発明の効果］
【０００６】就寝時、腰の下に置いてあお向け寝の腰からおしりにかけてのくびれと、横向き寝のウェストと腰骨の高さの差を支え、腰にかかる負担を楽にできる。さらに、ゆとりのある横幅で安心して左右に寝返りを打てる。
【図面の簡単な説明】
【図１】    本発明の立面図である。
【符号の説明】
１  腰用まくら本体
【図１】
2005087687.tif 000003
(57)【要約】【課題】  低コストで、処理量が大きく、且つ省力化が可能な含油廃水の処理装置を提供する。【解決手段】  フィルター式の油水分離器１Ａのフィルターａ中に油分解機能を有する微生物を保留・培養（ろ過・吸着材式の場合はろ過・吸着材の中に保留・培養）し、船舶機関室ビルジをビルジタンク２に一旦貯留し、ビルジ送水ポンプ３で汲み上げて油水分離器１Ａへ送水し、フィルターａにより油分を分離し、処理後の水を排出ライン４を経て排出するよう処理システムを構成し、休止時に微生物によりフィルターａ（あるいはろ過・吸着材）に溜まった油分を分解し、リフレッシュさせる。【選択図】        図１
2005087926.tif 000002
【特許請求の範囲】
【請求項１】
フィルターまたはろ過・吸着材により含油廃水から油分を分離する油水分離器であって、そのフィルターまたはろ過・吸着材中に、油分解機能を有する微生物を保留することを特徴とする油水分離器。
【発明の詳細な説明】
【技術分野】
【０００１】
本発明は、船舶機関室ビルジ、工場廃水、生活廃水等の含油廃水をフィルターまたはろ過・吸着材により分離除去する油水分離器に関し、特に、そのフィルターまたはろ過・吸着材のリフレッシュのための技術に関する。
【背景技術】
【０００２】
船舶機関室の油分を含んだ廃水すなわちビルジの処理方式としては、フィルターやろ過・吸着材による機械的な油水分離を主体とするものが一般的である。また、最近では微生物により油分を分解し最終的には二酸化炭素と水にしてしまうバイオ処理の開発も行われている（例えば、非特許文献１参照。）。
【非特許文献１】日本船舶機関学会誌、第３０巻、第１１号（１９９５−１１）Ｐ８２１〜８２６
【発明の開示】
【発明が解決しようとする課題】
【０００３】
しかしながら、フィルターやろ過・吸着材により油水分離を行う従来のビルジ処理は、分離した油分がフィルターやろ過・吸着材に溜まり、それが飽和する毎にフィルターやろ過・吸着材を取り出して清掃したり取り替えたりする必要があって、省力化が難しく、コストもかかる。一方、微生物によりビルジ中の油分を二酸化炭素と水にまで分解しようとする従来のバイオ処理の方式では、処理に時間がかかるため、小規模な装置では処理量が少ないし、大型化にはコストがかかる。
【０００４】
こうした問題は、船舶機関室からのビルジに限らず、他の様々な含油廃水、例えば工場廃水、生活廃水等の処理においても同様で、従来の油水分離の方式ではメンテナンスが煩雑で省力化が難しく、バイオ処理の方式では処理量が小さい。
【０００５】
本発明は、こうした問題を解決するためのもので、低コストで、処理量が大きく、且つ省力化が可能な含油廃水の処理装置を提供することを目的とする。
【課題を解決するための手段】
【０００６】
本発明は、フィルターやろ過・吸着材を用いた油水分離により船舶機関室ビルジを処理する場合に、その処理は、連続的に常時行うのではなく、週一とか月一とかの頻度で行うものであって、休止時間が長く、また、工場廃水や生活廃水の場合も同様で、大なり小なり休止時間があることに着目し、フィルターまたはろ過・吸着材により含油廃水から油分を分離する油水分離器を基本として、その油水分離器を、そのフィルターまたはろ過・吸着材中に、油分解機能を有する微生物を保留するよう構成することにより、休止時間を利用してバイオの機能でフィルターやろ過・吸着材に溜まった油分を分解し、フィルターやろ過・吸着材をリフレッシュさせるものである。
【発明の効果】
【０００７】
このように油水分離器を構成することにより、稼動時はフィルターまたはろ過・吸着材により能率良く含油廃水から油分を分離することができ、処理量を確保できる。そして、分離されてフィルターやろ過・吸着材に溜まった油分は、休止中に微生物によって分解することができ、フィルターやろ過・吸着材をリフレッシュすることができるため、メンテナンスフリーで長期間使用でき、省力化並びに低コストを実現できる。
【発明を実施するための最良の形態】
【０００８】
図１は本発明の実施の形態の第１例のビルジ処理システムの概略図である。この実施の形態の第１例は、含油廃水から油分を分離するフィルターａを備えた油水分離器１Ａにより船舶機関室ビルジを処理する場合で、そのフィルターａの中に、油分解機能を有する微生物を保留し培養する。そして、機関室に排出されるビルジをビルジタンク２に一旦貯留し、それをビルジ送水ポンプ３で汲み上げて油水分離器１Ａへ送水し、フィルターａにより油分を分離し、処理後の水を排出ライン４を経て排出するようシステムを構成する。
【０００９】
また、図２は本発明の実施の形態の第２例のビルジ処理システムの概略図である。この実施の形態の第２例は、含油廃水から油分を分離するろ過・吸着材ｂを備えた油水分離器１Ｂにより船舶機関室ビルジを処理する場合で、そのろ過・吸着材ｂの中に、油分解機能を有する微生物を保留し培養する。そして、船舶の機関室に排出されるビルジをビルジタンク２に一旦貯留し、それをビルジ送水ポンプ３で汲み上げて油水分離器１Ｂへ送水し、ろ過・吸着材ｂにより油分を分離し、処理後の水を排出ライン４を経て排出するようシステムを構成する。
【００１０】
これら第１例および第２例では、油水分離器１Ａあるいは１Ｂ、ビルジタンク２、ビルジ送水ポンプ３、排出ライン４等の装置一式を船舶の機関室に配設し、ビルジ処理システムを構成する。そして、機関室に排出されたビルジをビルジタンク２に貯留し、それが所定量溜まると、ビルジ送水ポンプ３を駆動し、ビルジタンク２から油水分離器１Ａあるいは１Ｂに送水して、フィルターａあるいはろ過・吸着材ｂにより油水分離処理を行う。そして、所定量の処理が終わり、ビルジ送水ポンプ３を停止すると、油水分離器１Ａあるいは１Ｂは休止状態となり、その間、微生物がフィルターａあるいはろ過・吸着材ｂに溜まった油分を分解し、例えば二酸化炭素と水にしてしまう。それにより、次回稼動までにフィルターａあるいはろ過・吸着材ｂをリフレッシュすることができる。
【００１１】
以上、船舶機関室ビルジの処理する場合を説明したが、本発明は、工場廃水や生活廃水の処理に対しても適用でき、同様のシステムで実施できるものである。
【図面の簡単な説明】
【００１２】
【図１】実施の形態の第１例のビルジ処理システムの概略図である。
【図２】実施の形態の第２例のビルジ処理システムの概略図である。
【符号の説明】
【００１３】
１Ａ  油水分離器
ａ  フィルター
１Ｂ  油水分離器
ｂ  ろ過・吸着材
２  ビルジタンク
３  ビルジ送水ポンプ
４  排出ライン
【図１】
2005087926.tif 000003
【図２】
2005087926.tif 000004
(57)【要約】【課題】電極間に通過させ、有害ガス成分を除去させるプラズマ式ガス処理装置において、両極性パルス電圧発生用の高圧直流電源、インバータ回路を用いる方式では、スイッチング素子などに高耐圧仕様の部品を用いねばならず、装置の大型化、高コストになることが問題であった。【解決手段】充電用直流電源とコンデンサと、１次側に中間タップを有するパルストランスと、分割される１次側巻線のそれぞれの端子にそれぞれON-OFF用半導体スイッチを接続し、この１次側巻線とON-OFF用半導体スイッチとコンデンサを共通にした２組の閉回路を構成し、このときの電流をON-OFF用半導体スイッチで選択制御し、この昇圧用パルストランスの２次巻線に両極性パルス電圧を発生させ、対向する電極間にプラズマを生成させ、有害ガスを含むガスを電極間に通過させ、有害ガス成分を除去させる。【選択図】図１
2005087938.tif 000002
【特許請求の範囲】
【請求項１】
充電用直流電源と該直流電源により充電されるコンデンサと、１次側に中間タップを有する昇圧用パルストランスと、該昇圧用パルストランスの中間タップで分割される１次側巻線のそれぞれの端子にそれぞれON-OFF用半導体スイッチを接続し、前記パルストランスの１次側巻線と前記ON-OFF用半導体スイッチと前記コンデンサを共通にした２組の閉回路を構成し、該２組の閉回路に流す電流を前記ON-OFF用半導体スイッチで選択制御し、前記パルストランスの２次巻線に両極性パルス電圧を発生させ、前記パルストランス２次巻線に接続された対向する電極間にプラズマを生成させ、有害ガスを含むガスを前記電極間に通過させ、有害ガス成分を除去することを特徴とするプラズマ式ガス処理装置。
【発明の詳細な説明】
【技術分野】
【０００１】
本発明は、両極性パルス電圧を用いてプラズマを生成させて、有害ガスを含むガスを電極間に通過させ、有害ガス成分を除去することを特徴とするプラズマ式ガス処理装置に関するものである。
【背景技術】
【０００２】
プラズマを利用して有害ガスを除去、低減する技術については、非特許文献１等により公知である。有害ガス成分を除去するために利用するプラズマは正または負の直流バイアス電圧を印加することで生成できる。しかしこの直流バイアス方式は電極の表面に負又は正の電荷のみが偏るチャージアップ現象が起こり、プラズマ生成が阻害され効率が非常に悪いという弱点がある。その後電圧をパルスで印加する方法が試みられたが電荷の偏りの改善はできなかった。特許文献１のプラズマ利用ガス処理法では高電圧直流電源とスイッチング回路を有するインバータ電源を用いて、電荷を偏らせないように両極性パルスを印加することによってチャージアップ現象を抑制するという方法が開示されている。
【特許文献１】特開平11−224795号公報（図２）
【非特許文献１】電気学会技術報告  第８１０号  財団法人電気学会  ２０００年
【発明の開示】
【発明が解決しようとする課題】
【０００３】
しかしながら、前記の高圧直流電源を有するインバータ電源方式は、直流電源やスイッチング回路をすべて高耐圧化しなければならず、大型化、高コストになる問題があった。
本発明は上記事情に鑑みなされたものであって、その目的とするところは、直流電源やON-OFF用半導体スイッチを高耐圧化する必要のないプラズマ式ガス処理装置、かつ高効率で有害ガス成分を除去するプラズマ式ガス処理装置を提供することである。
【課題を解決するための手段】
【０００４】
充電用直流電源と該直流電源により充電されるコンデンサと、１次側に中間タップを有する昇圧用パルストランスと、該昇圧用パルストランスの中間タップで分割される１次側巻線のそれぞれの端子にそれぞれON-OFF用半導体スイッチを接続し、前記パルストランスの１次側巻線と前記ON-OFF用半導体スイッチと前記コンデンサを共通にした２組の閉回路を構成し、該２組の閉回路に流す電流を前記ON-OFF用半導体スイッチで選択制御し、前記パルストランスの２次巻線に両極性パルス電圧を発生させ、前記パルストランス２次巻線に接続された対向する電極間にプラズマを生成させ、有害ガスを含むガスを前記電極間に通過させ、有害ガス成分を除去させるものである。
【発明の効果】
【０００５】
本発明のプラズマ式ガス処理装置は、両極性パルス電圧を用いてプラズマを生成することでチャージアップ現象を回避できるため、効率よくガス処理が行えるという利点がある。
【発明を実施するための最良の形態】
【０００６】
両極性パルス電圧を発生させチャージアップ現象を回避するという目的を、簡便な方法で実現した。
【実施例１】
【０００７】
図１は、本発明の、昇圧用パルストランスに直流電源とコンデンサ、ON-OFF用半導体スイッチを接続したプラズマ式ガス処理装置の接続図である。以下、図１について説明する。
【０００８】
直流電源１により充電されるコンデンサ２に昇圧用パルストランス５の中間タップ８が接続されており、１次側端子６と接続された正極性用ON-OFF用半導体スイッチ３をスイッチングすることで正極性のパルス、１次側端子７と接続された負極性用ON-OFF用半導体スイッチ４をスイッチングすることで負極性のパルスを発生させ、昇圧用パルストランス５の巻線比によって昇圧された両極性高電圧パルスを対向する電極９に印加して、プラズマを生成させ、有害ガスを含むガス１０を電極間に通過させ、有害ガス成分を除去させる。
【産業上の利用可能性】
【０００９】
この方法によれば、低電圧な直流電源、耐圧の低い安価なＯＮ―ＯＦＦ用半導体スイッチで構成できると同時に、かつ高効率で有害ガス成分を除去させる機構を備えたプラズマ式ガス処理装置が実現できるので、実用上多いに有用である。
【図面の簡単な説明】
【００１０】
【図１】本発明の請求項１の実施例を説明した図である。
【符号の説明】
【００１１】
１      直流電源
２      コンデンサ
３      正極性用ＯＮ―ＯＦＦ用半導体スイッチ
４      負極性用ＯＮ―ＯＦＦ用半導体スイッチ
５      昇圧用パルストランス
６、７  １次側端子
８      中間タップ
９      電極
１０    ガス
【図１】
2005087938.tif 000003
(57)【要約】 【課題】  有害物質である砒素酸化物が残留しない風味豊かな竹塩を高率良く生産する。【解決手段】  竹は生竹、すなわち未乾燥状態のものを使用し、一端の節を残して他端側が開口した状態で任意の長さに切断し、竹筒に塩を充填する。次いで、竹筒全体をアルミホイルで包んで開口端を閉蓋し、この竹筒を貧酸素状態で焼成可能な密閉式の乾留釜に充填した後、炭化温度６５０〜７５０℃で１０〜１６時間焼成することで、竹筒部分を炭化させる。炭化終了後、乾留釜を減圧して４〜５時間かけて自然冷却して炭化した竹筒を取り出し、竹筒内で焼固められた塊状の塩を粉砕して竹塩を得る。【特許請求の範囲】
【請求項１】
竹筒内に塩を充填して貧酸素状態で焼成し、竹筒部分を炭化させてなることを特徴とする炭化竹塩。
【発明の詳細な説明】
【技術分野】
【０００１】
本発明は、塩に竹のエキスが染み込こんだ風味豊かな竹塩の製法に関するものである。
【背景技術】
【０００２】
従来から調味料の一種として竹塩が知られている。竹塩とは、竹筒内に塩を詰め、これを竹筒ごと焼成して得られるものであり、竹が燃える際に竹のエキスが塩に染み出し風味が高まるというものである。その製法として、竹筒に天然の塩を詰めて粘土で蓋をし、これを竹筒が燃え尽きるまで焼き、焼き固められた塩を粉状に砕いて竹塩を得るものがある（例えば、特許文献１並びに特許文献２参照。）。  
【０００３】
【特許文献１】特許第２５２２０２３号公報
【特許文献２】特開平１０−１６５１３６号公報
【発明の開示】
【発明が解決しようとする課題】
【０００４】
しかしながら、上記各文献に開示されたものは、いずれも竹筒を全焼させるもので、焼成後の竹の灰と塩との分離の手間や複数回の焼成を要すし非効率であるという問題ばかりでなく、有酸素下で焼成することにより、精製塩では問題はないが、天然塩を使用する場合、焼成後の塩に核砒素と称される砒素酸化物（二酸化二砒素ＡＳ２Ｏ３）が残留すると言う問題があった。この点につき前出の特許文献１には、核砒素は殺菌、消炎効果がある旨記載されているが、本発明者らは極微量であるとはいえ有害成分である砒素酸化物が食塩として使用される竹塩に含有されるのは不適切であると考えた。
【０００５】
そもそも、この核砒素は、天日塩に含有される砒素や砒素化合物が高温下で酸化される際に発生するものである。そこで、本発明者らは、鋭意研究の結果、竹筒を全焼させることなく炭化させるだけで充分に風味高い竹塩が得られることを見い出し本発明をするに至った。
【課題を解決するための手段】
【０００６】
本発明の炭化竹塩は、竹筒内に塩を詰めて貧酸素状態で焼成し、竹筒部分を炭化させてなることを特徴とする。
【発明の効果】
【０００７】
本発明によれば、有害物質である砒素酸化物が残留しない風味豊かな竹塩を高率良く生産することができるという優れた効果がある。
【発明を実施するための最良の形態】
【０００８】
次に、本発明の実施の形態を一実施例に基づいて説明する。
【実施例１】
【０００９】
本発明に係る竹塩の製法は、先ず、竹筒への塩詰め工程から始まる。竹筒の素材としては、孟宗竹、真竹、破竹、矢竹等のあらゆる竹が使用可能であるが、孟宗竹等の比較的直径の大きい竹を使用するのが生産性を向上の点で有効である。竹は生竹、すなわち未乾燥状態のものを使用し、一端の節を残して他端側が開口した状態で任意の長さに切断する。本実施例では孟宗竹を使用し、このようにして作られた竹筒に塩を充填した。
【００１０】
塩は、市販されている精製塩であれば残留する砒素酸化物の問題は無いが、よりよい風味を持たせるためには塩田で作られた天然塩、あるいは岩塩を使用するのが好ましい。
【００１１】
次いで、竹筒全体をアルミホイルで包んで開口端を閉蓋し、この竹筒を貧酸素状態で焼成可能な密閉式の乾留釜に複数本充填する。乾留釜に竹筒を充填した後、種火を投入すると、竹筒部分は自然し始める。炭化温度６５０〜７５０℃で１０〜１６時間焼成することで、竹筒部分の炭化が終了する。炭化終了後乾留釜を減圧して４〜５時間かけて自然冷却して炭化した竹筒を取り出し、竹筒内で焼固められた塊状の塩を粉砕して竹塩を得た。
【００１２】
以上の工程により、竹が炭化する際にエキス分が染み出し、竹筒の中で塩が高湿状態で蒸し焼きにされ、塩に竹のエキスが染み込み風味豊かな竹塩が得られた。その際、例えば、天然塩に含有される砒素や砒素化合物は、高温の加熱により熱分解はされるものの酸化されることがないので、製造された竹塩に砒素酸化物（二酸化二砒素ＡＳ２Ｏ３）が残留することはない。
【産業上の利用可能性】
【００１３】
本発明による竹塩は、有害成分が残留しない調味用の食塩として好適に使用できる。
(57)【要約】【課題】  水溜りに沸くボウフラを駆除することで蚊の発生を抑えることを目的とする。【解決手段】  このボウフラ取りを水面に浮かべることにより、ボウフラを捕獲する事ができる。空気を吸いに水面に上がったボウフラは誘導用の穴１から進入し仕切り２にあたりトラップ筒穴３の中を通って容器５に入る。容器５の中に入ればなかなか出ることができず、呼吸できないので死滅する。また容器５の空気を抜く為、空気抜き用の穴４を設けた。【選択図】  図３
2005087199.tif 000002
【特許請求の範囲】
【請求項１】
ボウフラの水面に呼吸しに上がってくるという習性を利用して捕獲することができる事を特徴とするトラップ。
【請求項２】
一度容器内に入ったボウフラを逃がさないように筒状のトラップを設けた事を特徴とするトラップ。
【請求項３】
ボウフラが筒状のトラップに進入しやすいように仕切りを設けた事を特徴とするトラップ。
【発明の詳細な説明】
【技術分野】
【０００１】  本発明は水溜まりに沸くボウフラの駆除を目的とする。またこれにより蚊の発生を押さえる事ができる。
【背景技術】
【０００２】  比較する技術がない。
【発明の開示】
【発明が解決しようとする課題】
【０００３】  薬品などを使わずにボウフラを駆除できるトラップを提供する。
【課題を解決する為の手段】
【０００４】  このボウフラ取りを水面に浮かべることにより、ボウフラを捕獲する事ができる。空気を吸いに水面に上がったボウフラは誘導用の穴から進入し仕切りにあたり筒状のトラップを通って容器内に入る。容器内に入ればなかなか出ることができず、呼吸できないので死滅する。
【発明の効果】
【０００５】  ボウフラを捕獲し死滅させることで蚊の発生を押さえることができる。
【発明を実地する為の最良の形態】
【０００６】  水溜りあるいは水を溜めた容器にボウフラ取りを浮かべておく。
１日ほどすると容器内に微生物が付着しこれがボウフラの誘導用の餌になる。
【図面の簡単な説明】
【０００７】
【図１】  ボウフラ取りを示した平面図である。
【図２】  ボウフラ取りを示した正面図である。
【図３】  ボウフラ取りを示した立体図である。
【符号の説明】
【０００８】  １誘導用の穴
２仕切り
３トラップ筒穴
４空気抜き用の穴
５容器
【図１】
2005087199.tif 000003
【図２】
2005087199.tif 000004
【図３】
2005087199.tif 000005
(57)【要約】【課題】家庭又は業務用の菜園にて野菜等の種子を簡単で手軽に蒔くことの出来る菜園用種蒔き器を提供する。【解決手段】（イ）大別して押出部（１）と容器部（２）で構成される。（ロ）押出部（１）の中央に設けた上下に可動する軸（３）の上部にノブ（４）、ストッパー（５）、下部にゴム突起（６）を設ける。（ハ）押出部（１）の上部と下部の間に、上下に可動する軸（３）を中心としてバネ（７）を装着する。（ニ）押出部（１）の上面とストッパー（５）の間の上下に可動する軸（３）に取外し可能なアジャスター（８）を仮に嵌込んでおく。（ホ）容器部（２）は漏斗状なものとし、下部に十型に切込（９）を入れたうす平板開閉弁（１０）よりなる。  以上の構成よりなる菜園用種蒔き器。【選択図】      図１
2005087198.tif 000002
【特許請求の範囲】
【請求項１】
（イ）大別して押出部（１）と容器部（２）で構成される。
（ロ）押出部（１）の中央に設けた上下に可動する軸（３）の上部にノブ（４）、ストッパー（５）、下部にゴム突起（６）を設ける。
（ハ）押出部（１）の上部と下部の間に、上下に可動する軸（３）を中心としてバネ（７）を装着する。
（ニ）押出部（１）の上面とストッパー（５）の間の上下に可動する軸（３）に取外し可能なアジャスター（８）を仮に嵌込んでおく。
（ホ）容器部（２）は漏斗状なものとし、下部に十型に切込（９）を入れたうす平板開閉弁（１０）よりなる。
以上の構成よりなる菜園用種蒔き器。
【発明の詳細な説明】
【技術分野】
【０００１】  本発明は、家庭又は業務用の菜園にて、野菜等の種子を簡単で手軽に蒔くことの出来る菜園用種蒔き器に関するものである。
【背景技術】
【０００２】  従来より農業用として大規模で広範囲に大量の種子を蒔く時大型の機械はあったが、小規模に蒔く時は手蒔きしかなかった。
【発明の開示】
【発明が解決しようとする課題】
【０００３】    （イ）小さな種子を手で蒔く時は、手にまとわりついて適格に蒔けなかった。
（ロ）種子を手で蒔く時、種皮にトゲのあるものを蒔く時、指を痛める危険があった。
本発明は、これらの問題点を解決する為になされたものである。
【課題を解決するための手段】
【０００４】    （イ）大別して押出部（１）と容器部（２）で構成される。
（ロ）押出部（１）の中央に設けた上下に可動する軸（３）の上部にノブ（４）、ストッパー（５）、下部にゴム突起（６）を設ける。
（ハ）押出部（１）の上部と下部の間に、上下に可動する軸（３）を中心としてバネ（７）を装着する。
（ニ）押出部（１）の上面とストッパー（５）の間の上下に可動する軸（３）に取外し可能なアジャスター（８）を仮に嵌込んでおく。
（ホ）容器部（２）は漏斗状なものとし、下部に十型に切込（９）を入れたうす平板開閉弁（１０）よりなる。
以上の構成よりなる菜園用種蒔き器。
【発明の効果】
【０００５】  本発明を使用することによって、小さな種子を蒔く時でも手にまとわりつくことなく、種子にトゲのある場合でも安全である。
【発明を実施するための最良の形態】
【０００６】  以下、本発明の実施の形態について説明する。
（イ）大別して押出部（１）と容器部（２）で構成される。
（ロ）押出部（１）の中央に設けた上下に可動する軸（３）の上部にノブ（４）、ストッパー（５）、下部にゴム突起（６）を設ける。
（ハ）押出部（１）の上部と下部の間に上下に可動する軸（３）を中心としてコイルバネ（７）を装着する。
（ニ）押出部の上面とストッパー（５）の間の上下に可動する軸（３）に取外し可能なゴム又はプラスチック製のアジャスター（８）を仮に嵌込んでおく。
（ホ）容器部（２）は漏斗状の透明又は半透明なプラスチック製とし、下部に十型の切込（９）を入れたゴムのうす平板開閉弁（１０）よりなる。
本発明は以上のような構成で、これを使用する時は、容器部（２）に種子を入れ押出部（１）に被せて一体化させる。
次に蒔く種子の間隔を粗く蒔く時はアジャスター（８）を押出部（１）の上面と、ストッパー（５）の間の上下に可動する軸（３）に嵌込んだ状態で上下に可動する軸（３）を、押し下げるとゴム突起（６）の先端がゴムのうす平板開閉弁（１０）を少々押し広げた状態で停止し、少ない種子が外に押し出される。
そして本発明を移動しながら、バネ（７）の作用を利用して、上下に可動する軸（３）を上下に反復させる。
又、蒔く種子の間隔を密に蒔く時はアジャスター（８）を撤去した状態で上下に可動する軸（３）を押し下げると、ゴム突起（６）の先端がゴムのうす板開閉弁を大きく広げた状態で停止し、多くの種子が外に押し出される。
そして、本発明を移動しながら、バネ（７）の作用を利用して上下に可動する軸（３）を上下に反復させる。
【図面の簡単な説明】
【０００７】
【図１】本発明の縦断面図
【図２】本発明の容器部平面図
【図３】本発明の全体斜視図
【図４】本発明で種子の間隔を粗く蒔く際の使用中縦断面図
【図５】本発明で種子の間隔を密に蒔く際の使用中縦断面図
【符号の説明】
【０００８】      １  押出部
２  容器部
３  上下に可動する軸
４  ノブ
５  ストッパー
６  ゴム突起
７  バネ
８  アジャスター
９  切込
１０  うす平板開閉弁
【図１】
2005087198.tif 000003
【図２】
2005087198.tif 000004
【図３】
2005087198.tif 000005
【図４】
2005087198.tif 000006
【図５】
2005087198.tif 000007